(57)【要約】【課題】ユーザが指示することによって光源毎の輝度調整を行うことができる表示装置を提供する。【解決手段】個別に発光輝度を変更可能な複数の光源を有する発光手段と、前記発光手段からの光を変調することで画面上に画像を表示する表示手段と、前記画面上で前記複数の光源のうち１つを対象光源としてユーザに選択させると共に、ユーザにより入力された輝度の変更を前記対象光源に対し、設定する設定手段と、を有することを特徴とする表示装置とする。【選択図】図２
2015176116.tif 000002
【特許請求の範囲】
【請求項１】
個別に発光輝度を変更可能な複数の光源を有する発光手段と、
前記発光手段からの光を変調することで画面上に画像を表示する表示手段と、
前記画面上で前記複数の光源のうち１つを対象光源としてユーザに選択させると共に、ユーザにより入力された輝度の変更を前記対象光源に対し、設定する設定手段と、
を有することを特徴とする表示装置。
【請求項２】
ユーザにより指定された画面上の座標を取得する取得手段をさらに有し、
前記設定手段は、ユーザにより指定された前記座標に対応する位置に配置されている光源を、前記対象光源として選択する
請求項１に記載の表示装置。
【請求項３】
前記取得手段は、タッチパネルである
請求項２に記載の表示装置。
【請求項４】
入力される画像データに基づく画像を前記画面に表示する表示モードと、前記設定手段により光源の輝度を変更する変更モードとを切り替え可能であり、
前記表示モードから前記変更モードに切り替えられた場合に、前記設定手段は、前記表示モードで表示されていた画像に対し、ユーザによる対象光源の選択を補助するための補助画像を合成した合成画像を前記画面に表示する
請求項１から３のいずれか１項に記載の表示装置。
【請求項５】
前記補助画像は、前記複数の光源のそれぞれの輝度の設定値を示す光源輝度画像を含む請求項４に記載の表示装置。
【請求項６】
前記光源輝度画像は、前記複数の光源のそれぞれに対応する前記画面上の領域内の一部に表示される白画像である
請求項５に記載の表示装置。
【請求項７】
前記表示手段は、前記設定手段により設定された前記対象光源の輝度が前記画像に対するローカルディミング処理に基づく前記対象光源の輝度よりも低い場合に、前記画面上に前記画像の前記対象光源に対応する部分を、前記ローカルディミング処理に基づいて前記発光手段からの光を変調することで表示する
請求項１から６のいずれか１項に記載の表示装置。
【請求項８】
個別に発光輝度を変更可能な複数の光源を有する発光手段を有する表示装置の表示方法であって、
前記発光手段からの光を変調することで画面上に画像を表示し、
前記画面上で前記複数の光源のうち１つを対象光源としてユーザに選択させると共に、ユーザにより入力された輝度の変更を前記対象光源に対し、設定する、
ことを特徴とする表示方法。
【請求項９】
ユーザにより指定された画面上の座標を取得し、
ユーザにより指定された前記座標に対応する位置に配置されている光源を、前記対象光源として選択する
請求項８に記載の表示方法。
【請求項１０】
入力される画像データに基づく画像を前記画面に表示する表示モードと、光源の輝度を変更する変更モードとを切り替え可能であり、
前記表示モードから前記変更モードに切り替えられた場合に、前記表示モードで表示されていた画像に対し、ユーザによる対象光源の選択を補助するための補助画像を合成した合成画像を前記画面に表示する
請求項８または９に記載の表示方法。
【請求項１１】
前記補助画像は、前記複数の光源のそれぞれの輝度の設定値を示す光源輝度画像を含む請求項１０に記載の表示方法。
【請求項１２】
前記光源輝度画像は、前記複数の光源のそれぞれに対応する前記画面上の領域内の一部に表示される白画像である
請求項１１に記載の表示方法。
【請求項１３】
設定された前記対象光源の輝度がローカルディミング処理に基づく前記対象光源の輝度よりも低い場合に、前記画面上に前記画像の前記対象光源に対応する部分を、前記ローカルディミング処理に基づいて前記発光手段からの光を変調することで、表示する
請求項８から１２のいずれか１項に記載の表示方法。
【発明の詳細な説明】
【技術分野】
【０００１】
本発明は、表示装置および表示方法に関する。
【背景技術】
【０００２】
表示装置（例えば、液晶表示装置）のバックライト光源としてＬＥＤ（Light Emitting
Diode）を用いたものが増えている。ＬＥＤを用いたバックライトには、画面全体に複数のＬＥＤを配置してローカルディミング（ＬＤ：Local dimming）と呼ばれる小領域毎の
調光が可能なものがある。ローカルディミングは、入力画像を評価して液晶などで光の透過率を制御する表示制御とバックライトの輝度調整とを組み合わせて表示制御を行うことで、光の透過率の制御だけで行う表示制御以上の多階調、高コントラストを実現することができる。
【０００３】
また、タッチパネルを搭載した表示装置がある。タッチパネルは、入力手段の一種である。タッチパネルは、ユーザの指などが接触した位置の座標を検出することができる。タッチパネルを搭載した表示装置は、ＰＣ（Personal Computer）で動作するオペレーティ
ングシステムにおいて、サポートされるようになってきている。
【０００４】
特許文献１において、ユーザ操作を受け付けるタッチパネルが搭載された表示部があり、その表示部の消費電力を抑える省エネモードにおいて、一部の領域のみバックライトを点灯し、その領域のタッチパネル操作のみを可能とする制御方法が提案されている。
【先行技術文献】
【特許文献】
【０００５】
【特許文献１】特開２０１１−９５９１３号公報
【発明の概要】
【発明が解決しようとする課題】
【０００６】
表示装置を用いた画像鑑賞において、暗部のバックライト漏れ等を低減するために、画像の輝度や色調の変更を、ユーザが直接調整することが望まれる。しかしながら、特許文献１では、動作モードに応じてバックライトの点灯領域が設定されてはいるが、ユーザが点灯領域を設定することを想定していない。
【０００７】
本発明は、ユーザが指示することによって光源毎の輝度調整を行うことができる表示装置を提供することを目的とする。
【課題を解決するための手段】
【０００８】
上記の課題を解決するために、本発明は次の手段を採用する。
第１の態様は、
個別に発光輝度を変更可能な複数の光源を有する発光手段と、
前記発光手段からの光を変調することで画面上に画像を表示する表示手段と、
前記画面上で前記複数の光源のうち１つを対象光源としてユーザに選択させると共に、ユーザにより入力された輝度の変更を前記対象光源に対し、設定する設定手段と、
を有することを特徴とする表示装置である。
【０００９】
第２の態様は、
個別に発光輝度を変更可能な複数の光源を有する発光手段を有する表示装置の表示方法であって、
前記発光手段からの光を変調することで画面上に画像を表示し、
前記画面上で前記複数の光源のうち１つを対象光源としてユーザに選択させると共に、ユーザにより入力された輝度の変更を前記対象光源に対し、設定する、
ことを特徴とする表示方法である。
【発明の効果】
【００１０】
本発明によれば、ユーザが指示することによって光源毎の輝度調整を行うことができる表示装置を提供することができる。
【図面の簡単な説明】
【００１１】
【図１】実施形態１の画像表示システムの構成例
【図２】実施形態１の画像表示モニタの機能構成例
【図３】バックライト部のＬＥＤの配列の例
【図４】画像表示モニタの外観の例
【図５】画像表示モニタのバックライト調整モードの動作フロー
【図６】バックライト調整用の補助画像の重畳前の画面表示の例
【図７】バックライト調整用の補助画像の重畳後の画面表示の例
【図８】設定値（輝度値）とバックライト輝度確認用窓の表示との関係
【図９】バックライト輝度の調整中の白色ＬＥＤ毎の輝度値の設定例
【図１０】バックライト輝度の調整中の画面表示の例
【図１１】円形の輝度調整領域の例
【図１２】バックライト部のＬＥＤの例
【図１３】実施形態２の輝度調整領域及びバックライト輝度確認用窓の例
【図１４】画像表示モニタのバックライト調整モードの動作フローの例
【図１５】バックライト輝度の調整中のＲＧＢ−ＬＥＤの色毎の輝度値の設定例
【図１６】バックライト処理部の動作フローの例
【図１７】画像処理部による１フレームの画像信号の処理の動作フローの例
【発明を実施するための形態】
【００１２】
以下、図面を参照して実施形態について説明する。実施形態の構成は例示であり、本発明の構成は、実施形態の具体的構成に限定されない。本発明の実施にあたって、実施形態に応じた具体的構成が適宜採用されうる。
【００１３】
〔実施形態１〕
（構成例）
図１は、本実施形態の画像表示システムの構成例を示す図である。図１の画像表示システム１０は、画像表示モニタ１００及びＰＣ２００を含む。また、画像表示モニタ１００とＰＣ２００とは、ビデオケーブル３００及び制御ケーブル４００により接続される。
画像表示モニタ１００は、ＰＣ２００等からの画像信号に基づいて、画面に画像を表示する。
【００１４】
ＰＣ２００は、画像表示モニタ１００に対して、画像信号を出力する。ＰＣ２００は、画像信号を出力するためのＤＶＩ（Digital Visual Interface）やＤｉｓｐｌａｙＰｏｒｔなどの画像出力端子を含む。また、ＰＣ２００は、マウスやキーボード、タブレットなどの外部機器を接続するためＵＳＢ（Universal Serial Bus）などの制御端子を有する。ＰＣ２００は、画像出力端子および制御端子を用いて画像表示モニタ１００と接続する。ＰＣ２００は、オペレーションシステムやアプリケーションソフトなどのソフトウエアがインストールされることで所望の動作をする。
【００１５】
ビデオケーブル３００は、ＤＶＩやＤｉｓｐｌａｙＰｏｒｔなどの画像信号をＰＣ２０
０から画像表示モニタ１００に伝送するためのケーブルである。制御ケーブル４００は、ＵＳＢなどの機器制御信号を画像表示モニタ１００とＰＣ２００との間で伝送するためのケーブルである。ビデオケーブル３００と制御ケーブル４００とは、一体化されてもよい。
【００１６】
図２は本実施形態の画像表示モニタ１００の機能構成の例を示すブロック図である。図２に示すように、画像表示モニタ１００は、画像入力部１０１、外部制御入出力部１０２、制御部１０３、画像処理部１０４、第１メモリ１０５、液晶表示部１０６を備える。さらに、画像表示モニタ１００は、タッチパネル部１０７、バックライト処理部１０８、第２メモリ１０９、バックライト部１１０、本体ボタン部１１１を備える。
【００１７】
画像入力部１０１は、ビデオケーブル３００を使用してＰＣ２００の画像出力端子と接続されることで、ＰＣ２００から画像信号を入力される。画像表示モニタ１００が、液晶表示部１０６で表示可能な解像度、カラーフォーマットを記述したテーブルをＰＣ２００に送ることで、ＰＣ２００から画像表示モニタ１００で表示可能な画像信号のみが送られてくる。画像入力部１０１は、ＰＣ２００からの画像信号を画像処理部１０４に送信する。
外部制御入出力部１０２は、制御ケーブル４００を使用してＰＣ２００の制御端子と接続されることで、ＰＣ２００との間で、制御情報の送受信を行う。
制御部１０３は、画像表示モニタ１００の各機能の制御を行う。
【００１８】
画像処理部１０４は、画像入力部１０１から入力された画像信号に対し画像処理を行う。画像処理には、例えば、解像度変換、フォーマット変換、色調整、輝度調整、画像分割、画像切替、画像合成などがあり、画像処理は、制御部１０３の指示により実施される。画像処理が施された表示用画像信号は液晶表示部１０６に出力される。
第１メモリ１０５は、画像処理部１０４のフレームメモリであり、入力画像データ、表示用画像データなどを記憶する。
【００１９】
液晶表示部１０６は、画像処理部１０４で生成された表示用画像信号を入力して、表示用画像信号に基づいてバックライト部１０８からの光を変調することにより、画面に画像を表示する液晶表示パネルである。液晶表示パネルは、表示用画像信号の各ピクセルのピクセル値（各画素の画素値）に基づいて、ＲＧＢ（Red Green Blue）サブピクセル毎に光の透過率が制御される複数の液晶素子、ＲＧＢのカラーフィルタを有する。バックライト部１１０から発せさられた白色光が液晶素子を透過し更にカラーフィルタを透過することで、入力する表示用画像信号に基づくカラー画像が液晶表示部１０６の画面に表示される。液晶表示パネルの代わりに、光の透過率を制御することができる表示素子を有する表示パネルが使用されてもよい。
【００２０】
タッチパネル部１０７は、液晶表示部１０６の表面に設置される。タッチパネル部１０７は、ユーザの指やペンが接触した位置（タッチした位置）の座標情報を取得する。取得する座標情報の範囲（値）は、液晶表示部１０６が表示する画像の解像度に一致するように制御部１０３によって調整される。タッチパネル部１０７は、液晶表示部１０６からの光を透過する。よって、液晶表示部１０６における表示内容は、タッチパネル部１０７の側から観察可能である。
【００２１】
本実施形態において、タッチパネル部１０７は画像表示モニタ１００に内蔵されている。画像表示モニタ１００はＰＣ２００から見るとタッチパネルモニタとして機能し、ＰＣ２００にタッチパネル部１０７のタッチされた位置の座標情報を通知することが可能となる。
【００２２】
バックライト処理部１０８は、制御部１０３の指示でバックライト部１１０のＬＥＤの点灯を制御する。バックライト部１１０のＬＥＤの点灯制御には、例えば、全面に対する輝度変更、領域別の輝度変更がある。
第２メモリ１０９は、バックライト処理部１０８のワークメモリであり、ユーザによる設定値、バックライト部１１０の各ＬＥＤの輝度値などを記憶する。
【００２３】
バックライト部１１０は、画面を構成する複数の領域に対応する複数の光源であるＬＥＤを有する。バックライト処理部１０８は、バックライト部１１０のＬＥＤの発光輝度を個別に制御し得る。本実施形態では、横方向に１６個、縦方向に９個の合計１４４（＝１６×９）個の白色ＬＥＤ１２０を使用する。ＬＥＤの個数や配列は、これに限定されるものではない。光源として、冷陰極管、有機ＥＬ（Electro-Luminescence）等が使用されてもよい。
【００２４】
バックライト部１１０の各ＬＥＤの発光輝度は、所定の段階数（Ｎ＋１）の輝度のうちの１の段階の輝度となる。つまり、ＬＥＤ毎にＮ＋１段階の輝度（輝度値Ｉ＝０，．．．，Ｎ）のうちいずれかの段階の輝度が選択され、選択された輝度に切り替えられる。バックライト部１１０の各ＬＥＤの輝度は、バックライト処理部１０８等により決定される。ここで、輝度値ＩがＮのとき最も明るく、輝度値Ｉが０のとき最も暗いとする。バックライト部１１０の各ＬＥＤの発光輝度は、個別に変更可能である。
【００２５】
本体ボタン部１１１は、ユーザによる画像表示モニタ１００に対する操作を受け付ける。本体ボタン部１１１は、後述する、電源ボタン１３１、メニューボタン１３２、選択ボタン１３３、決定ボタン１３４を含む。例えば、本体ボタン部１１１のいずれかのボタンの押下操作が、画像表示モニタ１００に対する操作として、制御部１０３に通知される。
【００２６】
図３は、バックライト部のＬＥＤの配列の例を示す図である。図３の例では、バックライト部１１０では横方向に１６個、縦方向に９個の白色ＬＥＤ１２０が並んでおり、それぞれの白色ＬＥＤ１２０に、左上の（０，０）から右下の（１５，８）までの座標が割り当てられている。当該座標は、白色ＬＥＤ１２０の位置に対応する。この白色ＬＥＤ１２０の座標系は、タッチパネル部１０７が検出するユーザの指やペンが接触した位置の座標系とは異なる。個々の白色ＬＥＤ１２０が独立に点灯制御されることで、領域別の輝度調整を行うことが可能となる。１つの白色ＬＥＤ１２０が照射する画面上の範囲を、当該白色ＬＥＤ１２０に対応する輝度調整領域という。
【００２７】
図４は、画像表示モニタの外観の例を示す図である。図４の画像表示モニタ１００は、図示しない回路基板とバックライト部１１０と液晶表示部１０６とタッチパネル部１０７とを外装部１３０で覆うことで構成される。外装部１３０には、本体ボタン部１１１の電源ボタン１３１、メニューボタン１３２、選択ボタン１３３、決定ボタン１３４が配置される。図４の例では、各種ボタンが画面に向かって右側に配置されているが、各種ボタンが配置される位置は、これに限定されるものではない。
【００２８】
電源ボタン１３１は、画像表示モニタ１００の起動、停止を行うためのボタンである。電源ボタン１３１が画像表示モニタ１００の停止中に押し下げられた場合、画像表示モニタ１００が起動する。画像表示モニタ１００は、起動すると表示を行うため、画像入力部１０１からの画像信号の有無を確認し、有効な画像信号であれば表示を行い、バックライト部１１０の点灯を行う。電源ボタン１３１が画像表示モニタ１００の起動中に押し下げられた場合、画像表示モニタ１００が停止する。
【００２９】
メニューボタン１３２は、ＰＣ２００等からの画像信号を表示する表示モードと画像表示モニタ１００の設定を行うための設定モードとを切り替えるボタンである。設定モード
では、画面にメニュー（メニュー画面）が表示される。メニューボタン１３２の押下によって、メニュー画面の表示の開始、終了が行われる。メニュー画面では、例えば、輝度調整、コントラスト比調整、バックライト調整モード（変更モード）のいずれかを選択させる表示がされる。本実施形態のバックライト調整モードの選択は、メニュー画面から行われる。バックライト調整モードが選択されると、画像表示モニタ１００は、バックライト調整モード（変更モード）に切り替えられる。
【００３０】
選択ボタン１３３は、メニューの内容を選択するためのボタンであり、複数ある項目から１つの項目を選択するためのボタンである。画像表示モニタ１００は、タッチパネル部１０７を有しているため、項目選択はタッチパネル部１０７を用いて行われてもよい。
【００３１】
決定ボタン１３４は、メニューの内容を決定するためのボタンであり、選択ボタン１３３によって選択された項目を決定するためのボタンである。画像表示モニタ１００は、タッチパネル部１０７を有しているため、決定はタッチパネル部１０７を用いて行われてもよい。
【００３２】
（動作例）
図５は、画像表示モニタのバックライト調整モードの動作フローの例を示す図である。図５の動作フローは、例えば、所定時間毎に開始される。
ステップＳ１０１では、制御部１０３は、本体ボタン部１１１に対するユーザの操作によりバックライト調整モードが選択されたか否かを判定する。バックライト調整モードが選択されていない場合（Ｓ１０１；ＮＯ）、図５の動作フローは終了する。一方、バックライト調整モードが選択されている場合（Ｓ１０１；ＹＥＳ）、処理がステップＳ１０２に進む。
【００３３】
ステップＳ１０２では、制御部１０３は、画像表示モニタ１００のモードをバックライト調整モードに移行する。制御部１０３は、画像処理部１０４に対し、ＰＣ２００からの画像に、バックライト調整用の補助画像を重畳して表示することを指示する。画像表示部１０４は、輝度調整領域１４１、バックライト輝度確認用窓１４２を含むバックライト調整用の補助画像をＰＣ２００からの画像に重畳して液晶表示部１０６に表示するための表示用画像信号を、液晶表示部１０６に送信する。液晶表示部１０６は、画像表示部１０４からの表示用画像信号（画像データ）に基づく画像を、表示する。つまり、液晶表示部１０６には、ＰＣ２００からの画像にバックライト調整用の補助画像が合成された合成画像が表示される。ＰＣ２００からの画像の代わりに、画像表示モニタ１００の第１メモリ１０５などに格納される確認用画像が使用されてもよい。また、ＰＣ２００からの画像の代わりに、画像表示モニタ１００がメモリカード読み取り機能やＬＡＮ（Local Area Network）受信機能を有し、これらの機能を介して受信したデータによる画像が使用されてもよい。
【００３４】
図６は、バックライト調整用の補助画像の重畳前の画面表示の例を示す図である。図６の例では、液晶表示部１０６には、ＰＣ２００からの画像が表示されている。図６の画像は、図形とテキストとを含む。図６の画像では、背景色が暗い色であるため、バックライトの光漏れが目立ちやすい。
【００３５】
図７は、バックライト調整用の補助画像の重畳後の画面表示の例を示す図である。図７の例では、ＰＣ２００からの画像に、バックライト調整用の補助画像が重ねられている。バックライト調整用の補助画像は、バックライト部１１０のＬＥＤ毎の、輝度調整領域１４１、バックライト輝度確認用窓１４２を含む。図７では、座標（１０，１）の白色ＬＥＤ１２０の輝度調整領域１４１を点線の四角形で示している。当該点線が輝度調整領域１４１の境界線である。また、図７では、座標（１０，１）の白色ＬＥＤ１２０のバックラ
イト輝度確認用窓１４２を、輝度調整領域１４１の中の点線の四角形で示している。バックライト輝度確認用窓１４２は、輝度調整領域１４１の中に設けられる。各バックライト輝度確認用窓１４２は、バックライト部１１０の各白色ＬＥＤ１２０の光源輝度の設定値を示す光源輝度画像である。
【００３６】
輝度調整領域１４１は、バックライト部１１０の白色ＬＥＤ１２０に対応する画面上の領域を示すものである。輝度調整領域１４１は、白色ＬＥＤ１２０毎に表示される。白色ＬＥＤ１２０に対応する画面上の領域は、白色ＬＥＤ１２０から照射される光が到達する画面上の範囲に対応する。輝度調整領域１４１は、それぞれ、白色ＬＥＤ１２０の座標（（０，０）から（１５，８）まで）に対応している。
【００３７】
バックライト輝度確認用窓１４２は、バックライト部１１０の白色ＬＥＤ１２０による輝度を確認する領域である。バックライト輝度確認用窓１４２は、輝度調整領域１４１の領域内の一部である。バックライト輝度確認用窓１４２は、白色ＬＥＤ１２０毎に表示される。バックライト輝度確認用窓１４２では、当該窓内の表示を白表示（白画像）にしてバックライトの輝度を確認できるようにする。ここで、白表示は、バックライト部１１０の光が液晶素子においてすべて透過するようにする表示である。これにより、ユーザは、ＰＣ２００からの画像の内容が暗いものであっても、バックライト輝度確認用窓１４２により、バックライトの輝度を確認することができる。バックライト輝度確認用窓１４２の大きさは、図７の例に限定されるものではない。バックライト輝度確認用窓１４２の大きさを、図７の例よりも大きくして、バックライト輝度を確認しやすくしてもよいし、図７の例よりも小さくして、ＰＣ２００からの画像の明るさを確認しやすくしてもよい。バックライト輝度確認用窓１４２の大きさが輝度調整領域１４１の大きさと同じであってもよい。また、バックライト輝度確認用窓１４２の大きさを、ユーザの操作により変更できるようにしてもよい。バックライト輝度確認用窓１４２は、それぞれ、白色ＬＥＤ１２０の座標（（０，０）から（１５，８）まで）に対応している。
【００３８】
ステップＳ１０３では、制御部１０３は、タッチパネル部１０７をバックライト調整モードの用途に使用するため、処理の切り替えを行う。タッチパネル部１０７は、通常、ＰＣ２００の入力手段として使用されている。そのため、タッチパネル部１０７に対する操作は、ＰＣ２００に通知される。ここでは、バックライト調整モードにおいて、制御部１０３は、タッチパネル部１０７に対する操作を、ＰＣ２００に通知しないようにする。
【００３９】
ステップＳ１０４では、制御部１０３は、タッチパネル部１０７のタッチ位置の検出を行う。ユーザがユーザの指やペン等により液晶表示部１０６のバックライト輝度の変更を所望する領域（輝度調整領域）にタッチすると、制御部１０３は、液晶表示部１０６の表面に設置されるタッチパネル部１０７のタッチ（接触）された位置の座標を検出する。制御部１０３は、タッチされた位置の座標が、どの白色ＬＥＤ１２０の輝度調整領域に含まれるかを判定する。制御部１０３は、判定された輝度調整領域の白色ＬＥＤ１２０の座標を抽出する。ここでは、抽出された白色ＬＥＤ１２０の座標を、座標（Ｘ，Ｙ）とする。抽出された白色ＬＥＤ１２０は、輝度変更の対象光源である。
【００４０】
制御部１０３は、ＰＣ２００に接続されるキーボードやマウスなどの入力装置によるユーザの操作により、ＧＵＩを介してバックライト輝度を調整する領域の指定を、ＰＣ２００を介して、受け付けてもよい。
【００４１】
ステップＳ１０５では、制御部１０３は、白色ＬＥＤ１２０の座標（Ｘ，Ｙ）の輝度値Ｉの判定を行う。輝度値Ｉは、白色ＬＥＤ１２０の座標毎に第２メモリ１０９に格納されている。制御部１０３は、バックライト処理部１０８を介して、第２メモリ１０９から、白色ＬＥＤ１２０の座標（Ｘ，Ｙ）の輝度値Ｉを読み出す。輝度値Ｉが０である場合（Ｓ
１０５；ＹＥＳ）、処理がステップＳ１０６に進む。輝度値Ｉが０でない場合（Ｓ１０５；ＮＯ）、処理がステップＳ１０７に進む。
【００４２】
図８は、設定値（輝度値）とバックライト輝度確認用窓の表示との関係を示す図である。ここでは輝度値Ｉの最大値を３（Ｎ＝３）としている。輝度値Ｉが３のとき、バックライト輝度確認用窓１４２の表示は、最も明るい表示となる。輝度値Ｉが小さくなるのにしたがって、バックライト輝度確認用窓１４２の表示は、暗くなる。輝度値Ｉが０のとき、バックライト輝度確認用窓１４２の表示は、最も暗い表示となる。輝度値Ｉは、白色ＬＥＤ１２０の座標と関連付けられて第２メモリ１０９に格納されている。
【００４３】
ステップＳ１０６では、制御部１０３は、白色ＬＥＤ１２０の座標（Ｘ，Ｙ）における輝度値Ｉを設定可能最大値Ｎに設定する。制御部１０３は、設定した座標（Ｘ，Ｙ）の白色ＬＥＤ１２０の輝度値をバックライト処理部１０８に通知する。バックライト処理部１０８は、バックライト部１１０の座標（Ｘ，Ｙ）の白色ＬＥＤ１２０の輝度値をＮにする。バックライト処理部１０８は、座標（Ｘ，Ｙ）の白色ＬＥＤ１２０の輝度値として、Ｎを第２メモリ１０９に記憶する。ここでは、座標（Ｘ，Ｙ）の白色ＬＥＤ１２０における輝度が最大にされる。この後、処理がステップＳ１０１に戻る。
【００４４】
ステップＳ１０７では、制御部１０３は、白色ＬＥＤ１２０の座標（Ｘ，Ｙ）における輝度値ＩをＩ−１に設定する。制御部１０３は、設定した座標（Ｘ，Ｙ）の白色ＬＥＤ１２０の輝度値をバックライト処理部１０８に通知する。バックライト処理部１０８は、バックライト部１１０の座標（Ｘ，Ｙ）の白色ＬＥＤ１２０の輝度値をＩ−１にする。バックライト処理部１０８は、座標（Ｘ，Ｙ）の白色ＬＥＤ１２０の輝度値として、Ｉ−１を第２メモリ１０９に記憶する。ここでは、座標（Ｘ，Ｙ）の白色ＬＥＤ１２０における輝度が１段階暗くされる。この後、処理がステップＳ１０１に戻る。
【００４５】
ステップＳ１０４からステップＳ１０７の処理によって、原則として、ユーザがタッチした位置に対応する白色ＬＥＤ１２０の輝度が１段階暗く変更される。また、ユーザがタッチした位置に対応する白色ＬＥＤ１２０の輝度が最も暗い場合（輝度値Ｉ＝０）には、当該白色ＬＥＤ１２０の輝度が最も明るく変更される。
また、ユーザは、他の位置をタッチすることで当該他の位置の輝度調整領域に対応する白色ＬＥＤ１２０の輝度を変更することができる。
【００４６】
図９は、バックライト輝度の調整中の白色ＬＥＤ毎の輝度値の設定例を示す図である。図９のテーブルでは、横方向にｘ座標をとり、縦方向にｙ座標をとり、このｘ座標及びｙ座標による座標が、白色ＬＥＤ１２０の座標に対応する。図９のテーブルでは、例えば、左下の座標（０，８）では、白色ＬＥＤ１２０の輝度値Ｉは、０に設定されている。また、座標（１，８）等では、白色ＬＥＤ１２０の輝度値Ｉは、１に設定されている。さらに、座標（２，０）等では、白色ＬＥＤ１２０の輝度値Ｉは、３に設定されている。
【００４７】
図１０は、バックライト輝度の調整中の画面表示の例を示す図である。図１０の例では、図７の例と同様に、ＰＣ２００からの画像に、バックライト調整用の補助画像が重ねられている。図１０の例では、図９のテーブルと同様に、輝度値が設定されている。例えば、白色ＬＥＤ１２０の座標（０，８）のバックライト輝度確認用窓１４２には輝度値Ｉ＝０が設定され、白色ＬＥＤ１２０の座標（１，８）等のバックライト輝度確認用窓１４２には輝度値Ｉ＝１が設定されている。また、白色ＬＥＤ１２０の座標（２，０）等のバックライト輝度確認用窓１４２には輝度値Ｉ＝３が設定されている。
【００４８】
バックライト部１１０の調整後、ステップＳ１０１でバックライト調整モードが選択されなくなった場合（Ｓ１０１；ＮＯ）、上述のように、図７の動作フローは終了する。即
ち、バックライト調整モードが選択されなくなることで、バックライト調整モードの処理が終了する。このとき、画像処理部１０４は、液晶表示部１０６の画面に表示されている補助画像の表示を中止する。即ち、画像処理部１０４は、ＰＣ２００からの画像へのバックライト調整用の補助画像の重畳を中止する。さらに、制御部１０３は、タッチパネル部１０７に対する操作がＰＣ２００に通知されるようにする。
【００４９】
（変形例）
上記の例では、図７のように、輝度調整領域１４１の形状は矩形であるが、輝度調整領域１４１の形状は矩形でなくてもよい。また、輝度調整領域１４１は、他の輝度調整領域１４１と重なってもよい。
【００５０】
図１１は、円形の輝度調整領域の例を示す図である。図１１では、座標（９，１）の白色ＬＥＤ１２０の輝度調整領域１４１及び座標（１０，１）の白色ＬＥＤ１２０の輝度調整領域１４１を点線の円形で示している。例えば、座標（１０，１）の白色ＬＥＤ１２０の輝度調整領域１４１の一部は、座標（９，１）の白色ＬＥＤ１２０の輝度調整領域１４１の一部などと重なっている。
【００５１】
このとき、ステップＳ１０４では、制御部１０３は、液晶表示部１０６においてユーザの指などによりタッチされた位置の座標が、どの白色ＬＥＤ１２０の輝度調整領域１４１に含まれるかを判定する。タッチされた位置が複数の輝度調整領域１４１に含まれる場合、制御部１０３は、タッチされた位置を含むすべての輝度調整領域１４１の白色ＬＥＤ１２０の座標を抽出する。制御部１０３は、抽出されたすべての白色ＬＥＤ１２０について、それぞれ、ステップＳ１０５からステップＳ１０７までの処理を行う。これにより、輝度調整領域１４１が重なる部分がタッチされた場合には、複数の白色ＬＥＤ１２０について、一度のタッチで、バックライトの輝度調整を行うことができる。
【００５２】
また、タッチされた位置が複数の輝度調整領域１４１に含まれる場合、ステップＳ１０４において、制御部１０３は、いずれの輝度調整領域１４１の白色ＬＥＤ１２０の座標を抽出しないとしてもよい。これにより、輝度調整領域１４１が重なる部分がタッチされた場合には、いずれのバックライトの輝度調整も行われない。このとき、処理がステップＳ１０１に戻る。
【００５３】
（実施形態１の作用、効果）
画像表示モニタ１００によれば、ユーザは、タッチパネル部１０７を使用して液晶表示部１０６の表示を見ながらバックライト部１１０の輝度の調整を行うことができる。これにより、ユーザは、画像処理で対応しきれないユーザ自身の好みにバックライト輝度を調整することができる。特に、ユーザは、暗部のバックライト漏れをバックライト部１１０の白色ＬＥＤ１２０毎に個別に直接調整することが可能となる。
【００５４】
〔実施形態２〕
次に実施形態２について説明する。実施形態２は、実施形態１との共通点を有する。従って、主として相違点について説明し、共通点については説明を省略する。
【００５５】
（構成例）
実施形態２の画像表示システムは、実施形態１の図１の画像表示システム１０と同様である。また、実施形態２の画像表示モニタの機能構成のブロック図は、実施形態１の図２の画像表示モニタ１００と同様である。また、実施形態２の画像表示モニタの外観についても、実施形態１の図４の画像表示モニタと同様である。ここでは、実施形態１と共通するものについては、実施形態１の符号と同じ符号を使用して説明する。
【００５６】
図１２は、バックライト部のＬＥＤの例を示す図である。実施形態１では、バックライト部１１０の光源として白色ＬＥＤ１２０が使用されたが、実施形態２では、白色ＬＥＤ１２０の代わりに赤緑青の３色のＲＧＢ−ＬＥＤ２２０が使用される。図１２の例では、１つのＲＧＢ−ＬＥＤ２２０には、１つの赤色ＬＥＤ、２つの緑色ＬＥＤ、１つの青色ＬＥＤが含まれる。
実施形態２では、実施形態１の図３と同様に、縦方向に９個、横方向に１６個のＲＧＢ−ＬＥＤ２２０が並べられ、それぞれのＲＧＢ−ＬＥＤ２２０に左上の（０，０）から右下の（１５，８）までの座標が割り当てられる。個々のＲＧＢ−ＬＥＤ２２０が赤、緑、青を独立に点灯制御されることで、領域別の輝度及び色調や色温度の調整を行うことが可能となる。
【００５７】
図１３は、実施形態２の輝度調整領域及びバックライト輝度確認用窓の例を示す図である。実施形態２では、実施形態１と同様に輝度調整領域２４１の中にバックライト輝度確認用窓２４２が設けられる。実施形態２では、色ごとに調整可能なＲＧＢ−ＬＥＤ２２０が使用される。このため、実施形態２のバックライト輝度確認用窓２４２では、赤（Ｒ）、緑（Ｇ）、青（Ｂ）の色毎にＲＧＢ−ＬＥＤ２２０の輝度を確認できるようにするために、赤（Ｒ）、緑（Ｇ）、青（Ｂ）の３色の領域がそれぞれ表示される。例えば、バックライト輝度確認用窓２４２の赤（Ｒ）の領域では、バックライト部１１０の光が液晶素子において赤色のカラーフィルタのみすべて透過し、液晶素子において他の色のフィルタを透過しないようにされる。緑（Ｇ）の領域、青（Ｂ）の領域でも同様である。さらに、実施形態２のバックライト輝度確認用窓２４２では、当該窓内の一部の領域の表示を白表示（Ｗ）にして白色のバックライトの輝度を確認できるようにする。図１３の例では、バックライト輝度確認用窓２４２が、横方向に５つの領域に分けられて、左から、赤（Ｒ）、白（Ｗ）、緑（Ｇ）、白（Ｗ）、青（Ｂ）の表示がされる。輝度調整領域２４１及びバックライト輝度確認用窓２４２は、それぞれ、ＲＧＢ−ＬＥＤ２２０の座標（（０，０）から（１５，８）まで）に対応している。
第２メモリ１０９は、バックライト部１１０の各ＲＧＢ−ＬＥＤ２２０の色毎の輝度値を記憶する。
【００５８】
（動作例）
図１４は、画像表示モニタのバックライト調整モードの動作フローの例を示す図である。図１４の動作フローは、例えば、所定時間毎に開始される。
ステップＳ２０１からステップＳ２０３までの動作は、実施形態１の図５のステップＳ１０１からステップＳ１０３までの動作と同様である。
【００５９】
ステップＳ２０４では、制御部１０３は、タッチパネル部１０７にタッチされることを待機して、タッチパネル部１０７のタッチ位置の検出を行う。ユーザはユーザの指やペン等によりバックライト部１１０のバックライト輝度の変更を所望する色の領域（バックライト輝度確認用窓２４２内の色の領域）をタッチする。ユーザがユーザの指やペン等によりタッチパネル部１０７にタッチ（接触）すると、制御部１０３は、液晶表示部１０６の表面に設置されるタッチパネル部１０７のタッチされた位置の座標を検出する。制御部１０３は、タッチされた位置の座標が、どのＲＧＢ−ＬＥＤ２２０のバックライト輝度確認用窓２４２のどの色の領域に含まれるかを判定する。制御部１０３は、判定された輝度調整領域のＲＧＢ−ＬＥＤ１２０の座標及び色を抽出する。ここでは、抽出されたＲＧＢ−ＬＥＤの座標及び色を、（Ｘ，Ｙ，Ｃ）とする。色Ｃは、Ｒ（赤）、Ｇ（緑）、Ｂ（青）のいずれかである。一方、制御部１０３は、タッチされた位置の座標がバックライト輝度確認用窓２４２内のＲ、Ｇ、Ｂのいずれの領域にも含まれない場合、タッチパネル部１０７に他の位置がタッチされることを待機する。
【００６０】
ステップＳ２０５では、制御部１０３は、ＲＧＢ−ＬＥＤ２２０の座標及び色（Ｘ，Ｙ
，Ｃ）の輝度値Ｉの判定を行う。輝度値Ｉは、ＲＧＢ−ＬＥＤ２２０の座標及び色毎に第２メモリ１０９に格納されている。制御部１０３は、バックライト処理部１０８を介して、第２メモリ１０９から、ＲＧＢ−ＬＥＤ２２０の座標及び色（Ｘ，Ｙ，Ｃ）の輝度値Ｉを読み出す。輝度値Ｉが０である場合（Ｓ２０５；ＹＥＳ）、処理がステップＳ２０６に進む。輝度値Ｉが０でない場合（Ｓ２０５；ＮＯ）、処理がステップＳ２０７に進む。
【００６１】
ステップＳ２０６では、制御部１０３は、ＲＧＢ−ＬＥＤ２２０の座標及び色（Ｘ，Ｙ，Ｃ）における輝度値Ｉを設定可能最大値Ｎに設定する。即ち、座標（Ｘ，Ｙ）のＲＧＢ−ＬＥＤ２２０の色ＣのＬＥＤの輝度値ＩがＮに設定される。制御部１０３は、ＲＧＢ−ＬＥＤ２２０の座標及び色（Ｘ，Ｙ，Ｃ）の輝度値Ｉをバックライト処理部１０８に通知する。座標（Ｘ，Ｙ）のＲＧＢ−ＬＥＤ２２０の色ＣのＬＥＤの輝度値ＩをＮにする。バックライト処理部１０８は、座標（Ｘ，Ｙ）のＲＧＢ−ＬＥＤ２２０の色ＣのＬＥＤの輝度値Ｉとして、Ｎを第２メモリ１０９に記憶する。ここでは、ＲＧＢ−ＬＥＤ２２０の座標及び色（Ｘ，Ｙ，Ｃ）における輝度が最大にされる。この後、処理がステップＳ２０１に戻る。
【００６２】
ステップＳ２０６では、制御部１０３は、ＲＧＢ−ＬＥＤ２２０の座標及び色（Ｘ，Ｙ，Ｃ）における輝度値ＩをＩ−１に設定する。制御部１０３は、ＲＧＢ−ＬＥＤ２２０の座標及び色（Ｘ，Ｙ，Ｃ）の設定した輝度値をバックライト処理部１０８に通知する。バックライト処理部１０８は、バックライト部１１０の座標（Ｘ，Ｙ）のＲＧＢ−ＬＥＤ２２０の色ＣのＬＥＤの輝度値ＩをＩ−１にする。バックライト処理部１０８は、座標（Ｘ，Ｙ）のＲＧＢ−ＬＥＤ２２０の色ＣのＬＥＤの輝度値Ｉとして、Ｉ−１を第２メモリ１０９に記憶する。ここでは、ＲＧＢ−ＬＥＤ２２０の座標及び色（Ｘ，Ｙ，Ｃ）における輝度が１段階暗くされる。この後、処理がステップＳ２０１に戻る。
【００６３】
ステップＳ２０４からステップＳ２０７の処理によって、原則として、ユーザがタッチした位置に対応する色のＬＥＤの輝度が１段階暗く変更される。また、ユーザがタッチした位置に対応する色のＬＥＤの輝度が最も暗い場合（輝度値Ｉ＝０）には、当該ＬＥＤの輝度が最も明るく変更される。
ユーザは、バックライト部１１０の各ＲＧＢ−ＬＥＤ２２０の色毎に輝度を変更することができる。
【００６４】
図１５は、バックライト輝度の調整中のＲＧＢ−ＬＥＤの色毎の輝度値の設定例を示す図である。図１５のテーブルでは、横方向にｘ座標をとり、縦方向にｙ座標をとり、このｘ座標及びｙ座標による座標が、ＲＧＢ−ＬＥＤ２２０の座標に対応する。さらに、１つの座標に記載される３つの数字は、各色のＬＥＤの輝度値に対応する。３つの数字は、左から、赤、緑、青に対応する。例えば、左下の座標（０，８）では、「０，０，０」が記載される。これは、座標（０，８）のＲＧＢ−ＬＥＤ２２０の赤のＬＥＤの輝度値Ｉは０、緑のＬＥＤの輝度値Ｉは０、青のＬＥＤの輝度値Ｉは０に設定されていることを意味する。また、同様に、座標（１，８）等では、「１，１，２」が記載される。これは、座標（１，８）等のＲＧＢ−ＬＥＤ２２０の赤のＬＥＤの輝度値Ｉは１、緑のＬＥＤの輝度値Ｉは１、青のＬＥＤの輝度値Ｉは２に設定されていることを意味する。さらに、座標（２，０）等では、「３，３，３」が記載される。これは、座標（２，０）等のＲＧＢ−ＬＥＤ２２０の赤のＬＥＤの輝度値Ｉは３、緑のＬＥＤの輝度値Ｉは３、青のＬＥＤの輝度値Ｉは３に設定されていることを意味する。
【００６５】
（ローカルディミング処理の適用例）
入力画像を評価してバックライト部１１０の輝度（発光量）と液晶表示部１０６に表示する画像信号とを補正するローカルディミング処理が行われることがある。通常のローカルディミング処理ではバックライト部１１０のバックライト輝度値の調整が行われるため
、上記のようなユーザ等によるバックライト輝度値の補正が反映されない。そこで、上記のようなバックライト輝度値に対する補正が行われている際に、当該補正を反映させてローカルディミング処理を行う動作について説明する。
ローカルディミング処理は、入力される画像信号に応じてバックライト部１１０の各ＲＧＢ−ＬＥＤ２２０の色毎にバックライト輝度の変更および画像信号の補正をすることで、コントラスト比を大きくする処理である。
【００６６】
最初に、バックライト処理部１０８の動作について説明する。
図１６は、バックライト処理部の動作フローの例を示す図である。ここでは、既に、ユーザ等により、図１４の動作フローによるバックライト部１１０のＲＧＢ−ＬＥＤ２２０の各色の輝度の補正が行われているとする。図１６のバックライト処理部の動作フローは、バックライト部１１０のＲＧＢ―ＬＥＤ２２０の各色の輝度値が変更された際に実施されればよい。
ステップＳ３０１では、バックライト処理部１０８は、第２メモリ１０９に記憶されたＲＧＢ−ＬＥＤ２２０の全座標のＲＧＢのバックライト輝度値（Ｒ，Ｇ，Ｂ）を読み出す。
【００６７】
ステップＳ３０２では、バックライト処理部１０８は、各ＲＧＢ−ＬＥＤ２２０の色毎のバックライト輝度値（Ｒ，Ｇ，Ｂ）から液晶表示部１０６の解像度にあった画面の画素毎のバックライト輝度値（ｒ，ｇ，ｂ）を作成する。画面の画素毎のバックライト輝度値は、画面の各画素における各ＲＧＢ−ＬＥＤ２２０からの光の明るさである。
液晶表示部１０６の解像度にあった画面の画素毎のＲＧＢのバックライト輝度値（ｒ，ｇ，ｂ）は、各ＲＧＢ−ＬＥＤ２２０の各色の輝度値、当該画素と各ＲＧＢ−ＬＥＤ２２０との間の距離、ＬＥＤの発光特性（照射強度、照射角等）等に基づいて算出される。算出された画素毎のバックライト輝度値は、第２メモリ１０９に記憶される。
【００６８】
次に、画像処理部１０４の動作について説明する。
図１７は、画像処理部による１フレームの画像信号の処理の動作フローの例を示す図である。図１７の画像処理部１０４の動作フローは、図１６のバックライト処理部１０８の動作フローによる画素毎のバックライト輝度の作成後に実施される。
【００６９】
ステップＳ４０１では、画像処理部１０４は、第１メモリ１０５に記憶された画像信号の読み出しをフレームの処理対象の座標（０，０）の画素に設定する（ｘ＝０，ｙ＝０）。フレームの（０，０）の画素は、フレームの左上の端の画素である。座標（０，０）の画素は、１フレームの中で最初に処理される画素である。１フレームの横方向の画素数はｘｍａｘ、縦方向の画素数はｙｍａｘとする。
【００７０】
ステップＳ４０２では、画像処理部１０４は、１フレーム分の画像信号からローカルディミング（ＬＤ：Local Dimming）処理を実施するためのＬＤバックライト輝度値（ＲＬ
，ＧＬ，ＢＬ）を算出する。ＬＤバックライト輝度値（ＲＬ，ＧＬ，ＢＬ）は、ローカルディミング処理による、バックライト部１１０のＲＧＢ−ＬＥＤ２２０の各色の輝度値である。画像処理部１０４は、すべてのＲＧＢ−ＬＥＤ２２０の各色の輝度値を算出する。算出されたＬＤバックライト輝度値（ＲＬ，ＧＬ，ＢＬ）は、ＲＧＢ−ＬＥＤ２２０の座標毎に第１メモリ１０５に記憶される。
【００７１】
ステップＳ４０３では、画像処理部１０４は、各ＲＧＢ−ＬＥＤ２２０の各色のＬＤバックライト輝度値（ＲＬ，ＧＬ，ＢＬ）から、液晶表示部１０６の解像度にあった画素毎のＬＤバックライト輝度値（ｒＬ，ｇＬ，ｂＬ）を作成する。画面の画素毎のＬＤバックライト輝度値は、ＬＤバックライト輝度値（ＲＬ，ＧＬ，ＢＬ）で発光する各ＲＧＢ−ＬＥＤ２２０からの光による画面の各画素における明るさである。
画面の画素毎のＬＤバックライト輝度値（ｒＬ，ｇＬ，ｂＬ）は、各ＲＧＢ−ＬＥＤ２２０の各色の輝度値、当該画素と各ＲＧＢ−ＬＥＤ２２０との間の距離、ＬＥＤの発光特性（照射強度、照射角等）等に基づいて、算出される。算出された画素毎のＬＤバックライト輝度値（ｒＬ，ｇＬ，ｂＬ）は、第１メモリ１０５に記憶される。
【００７２】
ステップＳ４０４では、画像処理部１０４は、フレームの処理対象の座標（ｘ，ｙ）の画素の画像信号の補正を行う。画像信号の補正は、画面の画素毎のＬＤバックライト輝度値（ｒＬ，ｇＬ，ｂＬ）を用いて行われる。補正では、画面の画素毎のＬＤバックライト輝度値が所定の基準値より小さければフレームの座標（ｘ，ｙ）の画像信号の画素値が大きくされ、ＬＤバックライト輝度値が所定の基準値より大きければフレームの座標（ｘ，ｙ）の画像信号の画素値が小さくされる。この補正により、各ＲＧＢ−ＬＥＤ２２０が、ローカルディミング処理によるＬＤバックライト輝度値で発光した場合の、画素毎の画像信号の画素値（ＬＤ補正画像データ）が算出される。この補正により、バックライト部１１０がＬＤバックライト輝度値により発光しても、画像が、元の画像信号で示される明るさで画面に表示されるようになる。所定の基準値は、例えば、ローカルディミング処理を行わない場合のバックライト輝度値である。
【００７３】
ステップＳ４０５では、画像処理部１０４は、フレームの座標（ｘ，ｙ）の画素の、バックライト輝度値（ｒ，ｇ，ｂ）とＬＤバックライト輝度値（ｒＬ，ｇＬ，ｂＬ）との比較を行う。比較式として、「ｒ＋２×ｇ＋ｂ＞ｒＬ＋２×ｇＬ＋ｂＬ」が使用される。左辺がバックライト輝度値（ｒ，ｇ，ｂ）の明るさに対応し、右辺がＬＤバックライト輝度値（ｒＬ，ｇＬ，ｂＬ）の明るさに対応する。
【００７４】
この比較式では、視覚特性に基づいて緑色の重みを他の色の２倍としている。この比較式による比較により、ユーザによって設定されたバックライト輝度値の明るさの方が大きい（明るい）場合（Ｓ４０５；ＹＥＳ）、処理がステップＳ４０６に進む。また、ユーザによって設定されたバックライト輝度値の明るさの方が小さい（暗い）場合（Ｓ４０５；ＮＯ）、処理がステップＳ４０７に進む。比較式は、上記のものに限定されるものではなく、例えば、「ｒ＋ｇ＋ｂ＞ｒＬ＋ｇＬ＋ｂＬ」であってもよい。
【００７５】
ステップＳ４０６では、画像処理部１０４は、ステップＳ４０４で補正したフレームの座標（ｘ，ｙ）の画素の画像信号の画素値を再補正する。ここでは、ＬＤバックライト輝度値がユーザによって設定されたバックライト輝度値より暗いため、ステップＳ４０４で補正された画素値を使用すると画面表示が明るくなる。よって、ここでは、画像処理部１０４は、フレームの座標（ｘ，ｙ）の画素の画像信号の画素値を小さくする補正を行う。つまり、画像処理部１０４は、フレームの座標（ｘ，ｙ）の画素のバックライト輝度値が（ｒ，ｇ，ｂ）であるとして、フレームの座標（ｘ，ｙ）の画素の画像信号の画素値を算出する。画像処理部１０４は、フレームの座標（ｘ，ｙ）の画素の画像信号の画素値を、ステップＳ４０４における補正前の画素値に戻してもよい。
【００７６】
一方、ユーザによって設定されたバックライト輝度値の方が小さい（暗い）場合（Ｓ４０５；ＮＯ）、ステップＳ４０４で補正したフレームの座標（ｘ，ｙ）の画素の画像信号の画素値の再補正は行われない。従って、ＬＤバックライト輝度値がユーザによって設定されたバックライト輝度値より明るいため、ステップＳ４０４で補正された画素値を使用すると画面表示が暗くなる。
【００７７】
ステップＳ４０７では、画像処理部１０４は、補正を行った画像信号の画素値を液晶表示部１０６に送信する。画像信号の画素値が液晶表示部１０６に送信されることによって、液晶表示部１０４による表示が行われる。
ステップＳ４０８では、画像処理部１０４は、補正する対象（処理対象）の画素の変更
をするため、ｘ＝ｘ＋１とする。これにより、処理対象の画素が、右の画素に移動する。
【００７８】
ステップＳ４０９では、画像処理部１０４は、処理対象の画素が１ラインの終わりに達したか否かの評価を行う。１ラインは、フレームの横方向の画素１列のことである。処理対象の画素が１ラインの終わりに達した場合（Ｓ４０９；ＮＯ）、即ち、ｘ＜ｘｍａｘでない場合、処理がステップＳ４１０に進む。ｘｍａｘは、フレームの横方向の画素数である。補正する画素が１ラインの終わりに達していない場合（Ｓ４０９；ＹＥＳ）、即ち、ｘ＜ｘｍａｘである場合、処理がステップＳ４０４に戻る。
【００７９】
ステップＳ４１０では、画像処理部１０４は、補正する対象（処理対象）の画素を次のラインに変更するため、ｘ＝０、ｙ＝ｙ＋１とする。これにより、処理対象の画素が、１ライン下の左端の画素に移動する。
【００８０】
ステップＳ４１１では、画像処理部１０４は、処理対象の画素がフレームの終わりに達したか否かの評価を行う。処理対象の画素がフレームの終わりに達していない場合（Ｓ４１１；ＹＥＳ）、即ち、ｙ＜ｙｍａｘである場合、処理がステップＳ４０４に戻る。ｙｍａｘは、フレームの縦方向の画素数である。補正する画素がフレームの終わりに達した場合（Ｓ４１１；ＮＯ）、即ち、ｙ＜ｙｍａｘでない場合、当該フレームについての図１７の動作フローの処理が終了し、次のフレームについて、再び図１７の動作フローを開始する。
【００８１】
これにより、画像処理部１０４は、ユーザのバックライト輝度の調整によって暗く変更された部分について、ローカルディミング処理が適用されても、ユーザの調整を反映することができる。
【００８２】
また、補正対象領域毎にローカルディミング処理の有効、無効を切り替えられるようにしてもよい。例えば、あらかじめ、ユーザが、ローカルディミング処理が有効である補正対象領域と、無効である補正対象領域とを指定しておく。このとき、有効の補正対象領域では、当該補正対象領域に対応するＲＧＢ−ＬＥＤ２２０の輝度値を、ローカルディミング処理による輝度値に変更する。その上で、ステップＳ４０４で、画像処理部１０４は、処理中の座標（ｘ，ｙ）の画素が、ローカルディミング処理が有効の補正対象領域であるか、無効の補正対象領域であるかを判定し、有効の補正対象領域である場合に、画像信号の補正を行う。また、画像処理部１０４は、ローカルディミング処理が無効の補正対象領域である場合には、画像信号の補正を行わない。この後、処理がステップＳ４０７に進む。ここで、バックライト部１１０のＲＧＢ−ＬＥＤ２２０の輝度値が輝度値の最大値よりも小さい値（Ｎ未満）に変更された補正対象領域を、ローカルディミング処理の無効の領域としてもよい。これにより、ユーザが指定した領域に対して、ローカルディミング処理を行わないことができる。
【００８３】
また、ユーザによって設定された各輝度値が、画像にローカルディミング処理が施される際に、ＬＤバックライト輝度値に対する重み付けとして使用されてもよい。例えば、輝度値Ｉの最大値で規格化した値を重み付けの値（例えば、Ｎ＝３のとき、輝度値Ｉ＝３なら１．００、Ｉ＝２なら０．６７、Ｉ＝１なら０．３３、Ｉ＝０なら０．００）として、ローカルディミング処理によるＬＤバックライト輝度値に乗算する。重み付けの値が乗算されたＬＤバックライト輝度値を、バックライト部１１０のＲＧＢ−ＬＥＤ２２０の各色の輝度値として使用する。このとき、画像信号の補正は、フレーム内のすべての画素についてステップＳ４０４に基づいて行われる。これにより、ローカルディミング処理に、ユーザによる輝度値の設定を反映することができる。
【００８４】
（実施形態２の作用、効果）
以上、実施形態２に係る画像表示モニタ１００において、ユーザがタッチパネル部１０７を使い液晶表示部１０６の表示を見ながらバックライト部１１０の調整を赤、緑、青の色毎に行えるため、より細かくユーザの好みに調整することが可能となる。また、ローカルディミング処理が実行されたとしても、ユーザによる表示を暗くする調整が反映されるようにすることが可能となる。
【００８５】
〔その他〕
以上の各実施形態は、可能な限りこれらを組み合わせて実施され得る。
記憶装置に記録されたプログラムを読み込み実行することで前述した実施形態の機能を実現するシステムや装置のコンピュータ（またはＣＰＵ、ＭＰＵ等のデバイス）によっても、本発明を実施することができる。また、例えば、記憶装置に記録されたプログラムを読み込み実行することで前述した実施形態の機能を実現するシステムや装置のコンピュータによって実行されるステップからなる方法によっても、本発明を実施することができる。この目的のために、上記プログラムは、例えば、ネットワークを通じて、又は、上記記憶装置となり得る様々なタイプの記録媒体（つまり、非一時的にデータを保持するコンピュータ読取可能な記録媒体）から、上記コンピュータに提供される。従って、上記コンピュータ（ＣＰＵ、ＭＰＵ等のデバイスを含む）、上記方法、上記プログラム（プログラムコード、プログラムプロダクトを含む）、上記プログラムを非一時的に保存するコンピュータ読取可能な記録媒体は、いずれも本発明の範疇に含まれる。
【符号の説明】
【００８６】
１００      画像表示モニタ
１０６      液晶表示部
１０８      バックライト処理部
１１０      バックライト部
【図１】
2015176116.tif 000003
【図２】
2015176116.tif 000004
【図３】
2015176116.tif 000005
【図４】
2015176116.tif 000006
【図５】
2015176116.tif 000007
【図６】
2015176116.tif 000008
【図７】
2015176116.tif 000009
【図８】
2015176116.tif 000010
【図９】
2015176116.tif 000011
【図１０】
2015176116.tif 000012
【図１１】
2015176116.tif 000013
【図１２】
2015176116.tif 000014
【図１３】
2015176116.tif 000015
【図１４】
2015176116.tif 000016
【図１５】
2015176116.tif 000017
【図１６】
2015176116.tif 000018
【図１７】
2015176116.tif 000019